(57)【要約】【課題】照明の消し忘れを防止することのできる照明制御システムを提供する。【解決手段】上位装置と、制御用端末器と、中央制御装置と、ゾーンスイッチとを具備し、上位装置は、各中央制御装置を介してゾーン単位での照明負荷の状態を監視すると共に、監視情報に基づき中央制御装置にゾーン単位でのモニタ制御信号を送信し、中央制御装置はこのモニタ制御信号をゾーンスイッチに送信してゾーンスイッチのモニタの表示更新を行う構成とする。【選択図】        図１
2005158321.tif 000002
【特許請求の範囲】
【請求項１】
照明負荷を制御する個別照明スイッチと；
複数の照明負荷を制御する制御用端末器と；
制御用端末器と個別照明スイッチを１グループ単位とし、この１グループを複数まとめて１ゾーン単位として制御する複数の中央制御装置と；
ゾーン単位で照明負荷を一括制御するスイッチ及びゾーンの照明負荷の状態を表示するモニタを有するゾーンスイッチと；
前記複数の中央制御装置との間で前記照明負荷の状態に関する信号を送受信するように構成され、各中央制御装置を介してゾーン単位での照明負荷の状態を監視すると共に、監視情報に基づき前記中央制御装置にゾーン単位でのモニタ制御信号を送信し、前記中央制御装置を介してこのモニタ制御信号をゾーンスイッチに送信してゾーンスイッチのモニタの表示更新を行う上位装置と；
を具備していることを特徴とする照明制御システム。
【請求項２】
照明負荷を制御する個別照明スイッチと；
複数の照明負荷を制御する制御用端末器と；
制御用端末器と個別照明スイッチを１グループ単位とし、この１グループを複数まとめて１ゾーン単位として制御する複数の中央制御装置と；
ゾーン単位で照明負荷を一括制御するスイッチ及びゾーンの照明負荷の状態を表示するモニタを有するゾーンスイッチと；
前記複数の中央制御装置との間で前記照明負荷の状態に関する信号を送受信するように構成され、各中央制御装置にゾーン単位での照明負荷の状態要求信号を送信すると共に、前記中央制御装置からの状態変化信号を収集後、前記中央制御装置にゾーン単位での照明負荷の消し忘れを防止するためのモニタ制御信号を送信し、前記中央制御装置を介してこのモニタ制御信号をゾーンスイッチに送信してゾーンスイッチのモニタの表示更新を行う上位装置と；
を具備していることを特徴とする照明制御システム。
【請求項３】
照明負荷を制御する個別照明スイッチと；
複数の照明負荷を制御する制御用端末器と；
制御用端末器と個別照明スイッチを１グループ単位とし、この１グループを複数まとめて１ゾーン単位として制御する複数の中央制御装置と；
ゾーン単位で照明負荷を一括制御するスイッチ及びゾーンの照明負荷の状態を表示するモニタを有するゾーンスイッチと；
前記複数の中央制御装置との間で前記照明負荷の状態に関する信号を送受信するように構成され、ゾーン単位で設置された各中央制御装置を介して各照明負荷の状態を監視する機能、並びに監視情報に基づいたゾーン単位でのモニタ制御信号をゾーンスイッチに送信しゾーンスイッチのモニタの表示更新を行う機能を中央制御装置に負担させずに行う上位装置と；
を具備していることを特徴とする照明制御システム。
【発明の詳細な説明】
【技術分野】
【０００１】
本発明は、ビル施設等業務用または家庭用の照明負荷を制御する照明制御システムに関する。
【背景技術】
【０００２】
従来のこの種照明制御システムは、下記の特許文献１及び２などに示されるように、屋内外の複数の照明負荷を点灯・消灯や調光制御を集中的に制御、操作する照明制御装置として用いられている。
【特許文献１】特開２００３−３１３７７号公報
【特許文献２】特開平１０−３０４４６５号公報  この従来の照明制御システムは、光を検知する照度センサーにより外界等周囲の明るさを検知し、予め設定した目標値の明るさと比較した結果に基づき、蛍光ランプ等の照明負荷を調光し、部屋の照度が一定になるように制御している。
【０００３】
制御を行うための具体的な構成は、照明負荷、例えば、フロアーの天井に設置された蛍光ランプを個別に制御する壁スイッチ、外界の照度を検出する照度センサーの制御器、１フロアーの例えば１列の蛍光ランプを１グループ単位として一括して制御する制御用端末器や各列の制御用端末器をまとめ1ゾーン単位として制御する中央制御装置よりなり、この中央制御装置には上記壁スイッチ、照度センサーの制御器及び制御用端末器が伝送線を介して接続され、壁スイッチや照度センサーからの信号に基づいて、中央制御装置から各制御用端末器に制御信号を送信し、各蛍光ランプを点灯・消灯したり、所定の照度で調光制御するようになっている。
【発明の開示】
【発明が解決しようとする課題】
【０００４】
しかしながら、上記従来のシステムにおいて、帰宅時等において最終退出者がフロアーから退出するときに、フロアーの蛍光ランプを消し忘れた場合、退出するときの出口近辺でどこの蛍光ランプが消し忘れたかを目視して確認できる場合は、その該当する蛍光ランプの壁スイッチで消灯すればよいが、この蛍光ランプを制御している中央制御装置と異なる中央制御装置によって制御されている照明である、例えば、会議室とか階段の蛍光ランプが消し忘れられていた場合、どこの蛍光ランプが消し忘れられていたかを探しに行かなければならず、手間がかかり不便であり、気付かぬ場合には消し忘れが発生し、無駄な電力を消費してしまう問題が生じる。
【０００５】
これを防止するために、各蛍光ランプの点灯状況を中央制御装置で監視して、その監視情報に基づいて、消し忘れの情報をフロアーの出口等で知らせる方法が考えられるが、中央制御装置は、もともと各種の信号に基づき、各種の操作、表示等の制御を行う機能を有しており、これら機能に、さらに複数ある中央制御装置のＯＮ／ＯＦＦ状態を監視して消し忘れのための制御を行う機能を追加すると、装置としての負担が大きくなり、システム全体の処理スピードの低下を招くことになる。また、各中央制御装置からの消し忘れの情報を出口等に知らせるようにすると、各装置からの信号線を付設しなければならず、施工性がよくない。
【０００６】
さらに、前記の問題を解消するために中央制御装置の処理能力を高める方法もあるが、通常は複数設置されている中央制御装置の処理能力を高めることなり、安価なハードを含めたシステムが使えなくなり、システム全体のコストアップに繋がってしまう。
【０００７】
本発明は、中央制御装置との間で信号を送受信できる上位装置を設け、照明の消し忘れを防止することのできる照明制御システムを提供することを目的とする。
【課題を解決するための手段】
【０００８】
請求項１に記載の照明制御システムの発明は、照明負荷を制御する個別照明スイッチと；複数の照明負荷を制御する制御用端末器と；制御用端末器と個別照明スイッチを１グループ単位とし、この１グループを複数まとめて１ゾーン単位として制御する複数の中央制御装置と；ゾーン単位で照明負荷を一括制御するスイッチ及びゾーンの照明負荷の状態を表示するモニタを有するゾーンスイッチと；前記複数の中央制御装置との間で前記照明負荷の状態に関する信号を送受信するように構成され、各中央制御装置を介してゾーン単位での照明負荷の状態を監視すると共に、監視情報に基づき前記中央制御装置にゾーン単位でのモニタ制御信号を送信し、前記中央制御装置を介してこのモニタ制御信号をゾーンスイッチに送信してゾーンスイッチのモニタの表示更新を行う上位装置と；を具備していることを特徴とする。
【０００９】
ここで「上位装置」とは、例えば、ビル施設であれば、ビルの照明、空調、電力、ガス、水道等の管理を一括して集中管理するものでもよく、ビルの地下室等の集中制御室に設置されているもので、集中管理する一つの項目として、後述する中央制御装置と伝送線等の伝送手段を介して信号の送受信を行い、ビルの各フロアー、会議室、階段やロビー等に設置された蛍光ランプや白熱電球等、各種の照明負荷を制御することができる。なお、ビル施設の規模、集中管理する項目の種類、照明制御における伝送手段、信号の送受信等については、上記に例示した内容に限定されない。
【００１０】
また、上位装置と中央制御装置の伝送手段は、外部と送受信可能な外部回線を用いてもよく、勿論、施設の専用回線等を用いてもよく、伝送手段の方式は特に限定されない。
【００１１】
「照明負荷を制御する個別照明スイッチ」とは、例えば、ビルのフロアーに設置された蛍光ランプや白熱電球等の照明負荷を１灯ずつ個々に、または列毎、執務室や会議室等の部屋毎、さらには各階の階段、踊り場、ロビー等の単位でＯＮ／ＯＦＦ制御するためのスイッチで、壁面等に取り付けられた壁スイッチを意味しているが、照明負荷の制御の単位、制御の内容、設置場所等については上記に例示した内容に限定されない。
【００１２】
さらに、個別照明スイッチには、照明負荷の制御条件を設定する設定器、すなわち、システム全体の機能やアドレス設定、スイッチの割付設定、照度センサーの割付設定、チェック機能設定や制御用端末器の照明負荷の設定状態、調光度の設定機能等を、個別照明スイッチから中央制御装置の記憶部に設定するための設定器が接続可能になっていてもよい。
【００１３】
「複数の照明負荷を制御する制御用端末器」とは、例えばマイクロコンピュータや各種のリレー、動作表示ランプなどを搭載した制御装置で構成され、後述する中央制御装置と伝送線等の伝送手段を介して送受信ができるように設置され、中央制御装置からの信号に基づき、各フロアーに設置された複数の照明負荷の列毎、執務室や会議室等の部屋毎、さらには各階の階段、踊り場、ロビー等の単位で照明負荷を制御し、例えば各フロアー単位で、その壁面の配電盤等に設置されている。なお、中央制御装置との伝送手段、送受信の内容、照明負荷の制御の単位や制御の内容、設置場所等については上記に例示した内容に限定されない。
【００１４】
「制御用端末器と個別照明スイッチを１グループ単位とし、この１グループを複数まとめて１ゾーン単位として制御する複数の中央制御装置」とは、制御用端末器と個別照明スイッチの制御上の上位に位置する中央制御装置が制御する対象物の単位を意味し、例えば、ビルの１階のフロアーに設置された複数の照明負荷を制御する複数の制御用端末器と、複数の個別照明スイッチを１グループ単位とし、さらに会議室、階段や踊り場等における複数の照明負荷を制御する複数の制御用端末器と、複数の個別照明スイッチを他の１グループ単位とし、この各グループをまとめて１ゾーンの単位として制御する。
【００１５】
「複数の中央制御装置」とは、システムにおける制御上の位置としては、上述のように上位装置の下位で制御用端末器と個別照明スイッチの上位に位置し、例えば、マイクロコンピュータや各種のリレー、動作表示ランプなどを搭載した制御装置で構成され、システム全体の機能やアドレス設定、スイッチの割付設定、照度センサーの割付設定、チェック機能設定や制御用端末器の照明負荷の設定状態、調光度の設定機能等の各種の設定情報等を記憶する記憶部、さらにはこれら情報を伝送線等の伝送手段を介して下位に位置する制御用端末器や個別照明スイッチ、さらには上位に位置する上位装置と送受信できるように構成されている。この構成の中央制御装置は、例えば各階毎に複数設置され、ビル施設における１階等の集中配電盤に複数の中央制御装置が集中して設置されていてもよい。
【００１６】
「ゾーン単位で照明負荷を一括制御するスイッチ及びゾーンの照明負荷の状態を表示するモニタを有するゾーンスイッチ」とは、例えば、ビル施設の１ゾーン単位である１階フロアーの出入口近辺の壁面に設置されたスイッチで、１ゾーン単位である１階フロアーの最初の出勤者または最終の退出者が出勤または退出するときに、フロアー全体の照明を一括してＯＮ／ＯＦＦできる機能を有し、さらに上述した上位装置及び中央制御装置と伝送線等の伝送手段で送受信できるように構成される。上位装置から中央制御装置を介して送信される信号に基づき、フロアーの照明負荷の状態、すなわち、点灯しているのか、消灯しているのかをモニタできるように、例えば、色付きランプで表示してもよい。ゾーンスイッチのスイッチ機能の内容、設置場所やモニタの方式、上位装置や中央制御装置との伝送手段等については、上記に例示した具体的な内容には限定されない。
【００１７】
「前記複数の中央制御装置との間で前記照明負荷の状態に関する信号を送受信するように構成され、各中央制御装置を介してゾーン単位での照明負荷の状態を監視すると共に、監視情報に基づき前記中央制御装置にゾーン単位でのモニタ制御信号を送信し、前記中央制御装置を介してこのモニタ制御信号をゾーンスイッチに送信してゾーンスイッチのモニタの表示更新を行う上位装置」とは、中央制御装置が各ゾーン単位で設置された複数の他の中央制御装置の状態を監視するのではなく、中央制御装置の上位に位置する上位装置にゾーン単位で設置された各中央制御装置を介して、各照明負荷の状態を監視する機能をもたせ、さらに、監視情報に基づいたゾーン単位でのモニタ制御信号をゾーンスイッチに送信し、ゾーンスイッチのモニタの表示更新を行う機能も上位装置にもたせることにより、これら各機能を中央制御装置に負担させないようにしている。例えば上位装置が、各中央制御装置に対し、自身が制御する単位の照明負荷のＯＮ／ＯＦＦの状態がどうなっているかの監視信号を送信し、各中央制御装置が自身の制御単位の照明負荷のＯＮ／ＯＦＦの状態である監視情報を上位装置に返信し、上位装置はゾーン単位での各中央制御装置からの照明負荷のＯＮ／ＯＦＦの状態の監視情報を集め、例えば、１ゾーン単位である１階フロアーのどこかの照明がＯＮ、例えば、会議室の照明が消し忘れていた場合にはモニタ制御信号である赤色ランプを点灯するための信号を、またフロアーのどこの照明もＯＦＦで消し忘れがない場合には、緑色ランプを点灯するためのモニタ制御信号を中央制御装置を介してゾーンスイッチに送信し、ランプ消し忘れがあった場合はゾーンスイッチのモニタである赤色ランプを点灯し、消し忘れがない場合には緑色ランプを点灯してモニタの表示更新を行うようにしている。
【００１８】
請求項２に記載の照明制御システムの発明は、照明負荷を制御する個別照明スイッチと；複数の照明負荷を制御する制御用端末器と；制御用端末器と個別照明スイッチを１グループ単位とし、この１グループを複数まとめて１ゾーン単位として制御する複数の中央制御装置と；ゾーン単位で照明負荷を一括制御するスイッチ及びゾーンの照明負荷の状態を表示するモニタを有するゾーンスイッチと；前記複数の中央制御装置との間で前記照明負荷の状態に関する信号を送受信するように構成され、各中央制御装置にゾーン単位での照明負荷の状態要求信号を送信すると共に、前記中央制御装置からの状態変化信号を収集後、前記中央制御装置にゾーン単位での照明負荷の消し忘れを防止するためのモニタ制御信号を送信し、前記中央制御装置を介してこのモニタ制御信号をゾーンスイッチに送信してゾーンスイッチのモニタの表示更新を行う上位装置と；を具備していることを特徴とする。
【００１９】
本発明は、請求項１の発明をさらに発展させ、上位装置がゾーンスイッチのモニタの表示更新を行うために送信するモニタ制御信号を、消し忘れを防止するための信号としたシステムである。
【００２０】
本発明において「前記複数の中央制御装置との間で前記照明負荷の状態に関する信号を送受信するように構成され、各中央制御装置にゾーン単位での照明負荷の状態要求信号を送信すると共に、前記中央制御装置からの状態変化信号を収集後、前記中央制御装置にゾーン単位での照明負荷の消し忘れを防止するためのモニタ制御信号を送信し、前記中央制御装置を介してこのモニタ制御信号をゾーンスイッチに送信してゾーンスイッチのモニタの表示更新を行う上位装置」とは、中央制御装置が各ゾーン単位で設置された複数の他の中央制御装置の状態を監視するのではなく、中央制御装置の上位に位置する上位装置にゾーン単位で設置された各中央制御装置を介して、各照明負荷の状態を監視する機能をもたせ、さらに、監視情報に基づいたゾーン単位でのモニタ制御信号をゾーンスイッチに送信し、ゾーンスイッチのモニタの表示更新を行う機能も上位装置にもたせることにより、これら各機能を中央制御装置に負担させないようにしている。例えば上位装置が、各中央制御装置に対し、自身が制御する単位の照明負荷のＯＮ／ＯＦＦの状態がどうなっているかの状態要求信号を送信し、各中央制御装置が自身の制御単位の照明負荷のＯＮ／ＯＦＦの状態である状態変化信号を上位装置に返信し、上位装置はゾーン単位での各中央制御装置から状態変化信号を集め、例えば、１ゾーン単位である１階フロアーのどこかの照明がＯＮ、例えば、会議室の照明が消し忘れていた場合には消し忘れを防止するモニタ制御信号である赤色ランプを点灯するための信号を、またフロアーのどこの照明もＯＦＦで消し忘れがない場合には、緑色ランプを点灯するためのモニタ制御信号を中央制御装置を介してゾーンスイッチに送信し、ランプ消し忘れがあった場合はゾーンスイッチのモニタである赤色ランプを点灯し、消し忘れがない場合には緑色ランプを点灯してモニタの表示更新を行うようにしている。
【００２１】
請求項３に記載の照明制御システムの発明は、照明負荷を制御する個別照明スイッチと；複数の照明負荷を制御する制御用端末器と；制御用端末器と個別照明スイッチを１グループ単位とし、この１グループを複数まとめて１ゾーン単位として制御する複数の中央制御装置と；ゾーン単位で照明負荷を一括制御するスイッチ及びゾーンの照明負荷の状態を表示するモニタを有するゾーンスイッチと；前記複数の中央制御装置との間で前記照明負荷の状態に関する信号を送受信するように構成され、ゾーン単位で設置された各中央制御装置を介して各照明負荷の状態を監視する機能、並びに監視情報に基づいたゾーン単位でのモニタ制御信号をゾーンスイッチに送信しゾーンスイッチのモニタの表示更新を行う機能を中央制御装置に負担させずに行う上位装置と；を具備していることを特徴とする。
【００２２】
本発明は、中央制御装置が各ゾーン単位で設置された複数の他の中央制御装置の状態を監視するのではなく、中央制御装置の上位に位置する上位装置にゾーン単位で設置された各中央制御装置を介して、各照明負荷の状態を監視する機能をもたせ、さらに、監視情報に基づいたゾーン単位でのモニタ制御信号をゾーンスイッチに送信し、ゾーンスイッチのモニタの表示更新を行う機能も上位装置にもたせることにより、これら各機能を中央制御装置に負担させないことを意味しているが、監視信号や監視情報の内容、モニタ制御信号の内容、モニタの方式等については、上述の具体的な内容には限定されない。
【発明の効果】
【００２３】
請求項１の発明によれば、上位装置は、各中央制御装置を介してゾーン単位での照明負荷の状態を監視すると共に、監視情報に基づき前記中央制御装置にゾーン単位でのモニタ制御信号を送信し、前記中央制御装置を介してこのモニタ制御信号をゾーンスイッチに送信してゾーンスイッチのモニタの表示更新を行うようにしたので、照明の消し忘れ防止をすることができる。
【００２４】
請求項２の発明によれば、上位装置は、各中央制御装置にゾーン単位での照明負荷の状態要求信号を送信すると共に、前記中央制御装置からの状態変化信号を収集後、前記中央制御装置にゾーン単位での照明負荷の消し忘れを防止するためのモニタ制御信号を送信し、前記中央制御装置を介してこのモニタ制御信号をゾーンスイッチに送信してゾーンスイッチのモニタの表示更新を行うようにしたので、照明の消し忘れ防止をすることができる。
【００２５】
請求項３の発明によれば、上位装置は、ゾーン単位で設置された各中央制御装置を介して各照明負荷の状態を監視する機能、並びに監視情報に基づいたゾーン単位でのモニタ制御信号をゾーンスイッチに送信しゾーンスイッチのモニタの表示更新を行う機能を中央制御装置に負担させずに行うようにしたので、照明の消し忘れ防止をすることができる。
【発明を実施するための最良の形態】
【００２６】
以下、本発明に係る照明制御システムの第一の実施形態について説明する。
【実施例１】
【００２７】
図１及び図２は、本発明照明制御システムの第一の実施形態を示し、図１は照明制御システムの概略構成図、図２は照明制御システムの作動状況を示すフローチャートである。
【００２８】
本実施形態の照明制御システムは、ビル施設に設置された照明制御システムで、図１に示すように上位装置１、中央制御装置２、制御用端末器３、個別照明スイッチである複数の壁スイッチ４、照明負荷である多数の蛍光ランプ５から構成され、上位装置１には４個の中央制御装置２ａ、２ｂ、２ｃ、２ｄが接続されている。
【００２９】
図中左方に示す中央制御装置２ａには、２個の制御用端末器３ａ、３ａ、個別照明スイッチである２個の壁スイッチ４ａ、４ａが接続されている。
【００３０】
２個の制御用端末器３ａ、３ａには、それぞれに多数の照明負荷である蛍光ランプ５ａ、５ａ、・・・が接続されている。
【００３１】
なお、上位装置１と中央制御装置２ａとは、外部と通信が可能な外部回線を使った伝送線で接続され、中央制御装置２ａと制御用端末器３ａ、３ａ、壁スイッチ４ａ、４ａ、さらに制御用端末器３ａ、３ａと蛍光ランプ５ａ、５ａとは、ビル施設内部の専用回線を構成する伝送線で接続されている。
【００３２】
これら図中左方に示す中央制御装置２ａ、２個の制御用端末器３ａ、３ａ、２個の壁スイッチ４ａ、４ａ、多数の蛍光ランプ５ａ、５ａ、・・・で構成された一つのシステムを１単位のグループＡとし、このグループＡと同様に構成された中央制御装置２ｂ、２個の制御用端末器３ｂ、３ｂ、２個の壁スイッチ４ｂ４ｂ、多数の蛍光ランプ５ｂ、５ｂ、・・・でグループＢを構成し、このグループＡ，Ｂをまとめて１単位のゾーンＡを構成している。
【００３３】
さらに、グループＡを構成する中央制御装置２ａには、ゾーンスイッチ６及び光センサー制御器７が、上記同様に専用回線である伝送線を介して接続されている。
【００３４】
図示を省略し詳細には説明をしていないが、グループＡ、Ｂと同様に制御用端末器、壁スイッチや照明負荷で構成された中央制御装置２ｃのシステムの単位をグループＣ、同様に中央制御装置２ｄの単位をグループＤとし、グループＣ、Ｄを、まとめてゾーンＢとしている（このゾーン単位は任意に増やすことが可能である）。
【００３５】
このように構成されたゾーン単位のシステムがビルの各階毎に、本実施形態では、上記中央制御装置２ａ、２ｂを含むゾーンＡのシステムがビルの１階に設置され、中央制御装置２ｃ、２ｄを含むゾーンＢのシステムが２階に設置され、図示しないがゾーンＡ、Ｂと同様に構成された単位のゾーンが３階、４階・・・のように順次各階に設置されてビル全体の照明制御システムが構成されている。
【００３６】
さらに、ゾーンＡのグループＡを構成する中央制御装置２ａ、２個の制御用端末器３ａ、３ａ、２個の壁スイッチ４ａ、４ａ、ゾーンスイッチ６及び光センサー制御器７、多数の蛍光ランプ５ａ、５ａは、１階フロアーの執務室の照明制御を行うシステムで、執務室はその中央で照明領域が東西に２分割され、多数の蛍光ランプ５ａがそれぞれ西側、東側の天井に配分されて設置され、東西の執務室をそれぞれ照明するようになっている。
【００３７】
２個の制御用端末器３ａ、３ａは、西側、東側のそれぞれの執務室の蛍光ランプ５ａ、５ａに対応して設置され、１階フロアーの壁面に設けられた配電盤に集中して収納設置されている。
【００３８】
２個の壁スイッチ４ａ、４ａが１階フロアーの廊下の西側、東側の執務室に対応する壁面に設置され、この壁スイッチを操作することにより、西側または東側にそれぞれ設置された蛍光ランプ５ａを西側毎、または東側毎の単位でＯＮ／ＯＦＦできるようになっている。さらに壁スイッチ４ａ、４ａにはＬＥＤが内蔵されＯＮ状態のときにＬＥＤが点灯するようになっている。
【００３９】
また、各壁スイッチ４ａ、４ａには、１階フロアー（ゾーンＡ）全体の照明負荷の制御条件を設定するための設定器８が接続される接続端子が設けられている。
【００４０】
光センサー制御器７が外界の明るさを検知するようにフロアー窓際の天井に設置されている。
【００４１】
また、ゾーンスイッチ６は、１階フロアーの最終の出入口の壁面に設置され、１階フロアーの最初の出勤者または最終の退出者が出勤または退出するときに操作することにより、１階フロアー全体の蛍光ランプを一括してＯＮ／ＯＦＦできるようになっている。
【００４２】
中央制御装置２ａは、１階ロビー部分に設けられた電機室の集中配電盤に収納設置されている。
【００４３】
さらに、ゾーンＡのグループＢを構成する中央制御装置２ｂ、２個の制御用端末器３ｂ、３ｂ、２個の壁スイッチ４ｂ、４ｂ、多数の蛍光ランプ５ｂ、５ｂ、・・・は、１階フロアーの執務室に連続して設置された２部屋よりなる会議室の照明制御を行うもので、多数の蛍光ランプ５ｂ、５ｂが各会議室の広さに応じて配分されている。
【００４４】
２個の制御用端末器３ｂ、３ｂは、各会議室の蛍光ランプ５ｂ、５ｂに対応して設置され、執務室の制御用端末器３ａ、３ａと一緒に、１階フロアー壁面に設けられた配電盤に集中して収納設置されている。
【００４５】
さらに、壁スイッチ４ｂ、４ｂが各会議室の出入口の壁面にそれぞれ設置され、各会議室の蛍光ランプ５ｂ、５ｂをＯＮ／ＯＦＦできるようになっている。さらに壁スイッチ４ｂ、４ｂも上記壁スイッチ４ａ、４ａと同様に、ＬＥＤが内蔵されＯＮ状態のときにＬＥＤが点灯するようになっている。
【００４６】
また、各壁スイッチ４ｂ、４ｂにも、壁スイッチ４ａ、４ａと同様に、１階フロアー全体の照明負荷の制御条件を設定するための設定器８が接続される接続端子が設けられている。
【００４７】
中央制御装置２ｂも執務室の中央制御装置２ａと一緒に１階に設けられた電機室の集中配電盤に集中して収納設置されている。
【００４８】
また、グループＡを構成する中央制御装置２ａと、グループＢを構成する中央制御装置２ｂの上位に位置する上位装置１はビル地下室の集中制御室に設置されている。
【００４９】
なお、上述したゾーンスイッチ６は、１階フロアーの執務室及び２部屋の会議室を含めて、１階フロアーの全ての蛍光ランプ５ａ、５ｂを一括してＯＮ／ＯＦＦできるようになっている。
【００５０】
さらに、上位装置１の構成は、ビルの照明、空調、電力、ガス水道等の管理を一括して集中管理するもので、上述のようにビルの地下室の集中制御室に設置され、マイクロコンピュータや各種のリレー、動作表示ランプなどを搭載した制御装置で構成されており、１階ロビーの電機室に収納設置された各中央制御装置２ａ、２ｂ、２ｃ、２ｄ、・・・と伝送線を介して接続され各種の信号の送受信が行えるようになっている。
【００５１】
中央制御装置２ａ、２ｂ、２ｃ、２ｄ、・・・には、複数の制御用端末器３と複数の壁スイッチ４が接続され、システム構成上の制御上の位置としては、上位装置１の下位に位置し、制御用端末器３と壁スイッチ４の上位に位置し、伝送線を介して下位に位置する制御用端末器３や壁スイッチ４、さらには上位に位置する上位装置１と送受信できるようになっている。
【００５２】
また、中央制御装置２ａ、２ｂ、２ｃ、２ｄ、・・・は、マイクロコンピュータや各種のリレー、動作表示ランプなどを搭載した制御装置で構成され、マイクロコンピュータの記憶部には、システム全体の機能やアドレス設定、スイッチの割付設定、照度センサーの割付設定、チェック機能設定や制御用端末器３の照明負荷の設定状態、調光度の設定機能等の各種の設定情報等が記憶されるようになっている。
【００５３】
制御用端末器３は、複数の蛍光ランプ５が接続され、システム構成上の制御上の位置としては、中央制御装置２の下位に位置し、照明負荷である蛍光ランプ５の上位に位置し、伝送線を介して上位に位置する中央制御装置２と送受信できるようになっており、さらに下位に位置する蛍光ランプ５にＯＮ／ＯＦＦするための信号や調光信号を送信するようになっている。
【００５４】
制御用端末器３も、マイクロコンピュータや各種のリレーなどを搭載した制御装置で構成されている。
【００５５】
壁スイッチ４は、上記のように中央制御装置２に接続され、システム構成上の制御上の位置としては、中央制御装置２の下位に位置し、照明負荷である蛍光ランプ５の上位に位置し、伝送線を介して上位に位置する中央制御装置２と送受信できるようになっており、さらに下位に位置する蛍光ランプ５をＯＮ／ＯＦＦ制御する個別照明スイッチを構成するようになっている。
【００５６】
さらに、各階のフロアー壁面に設置された各壁スイッチ４には、上述したように、照明負荷の制御条件を設定する携帯型の設定器８が接続可能になっており、所定の照明ゾーンに位置するいずれかの壁スイッチ４に設定器８を接続し、設定器を操作することにより、所定の照明ゾーンにおけるシステムの機能やアドレス設定、スイッチの割付設定、照度センサーの割付設定、チェック機能設定や制御用端末器３の照明負荷の設定状態、調光度の設定機能等を中央制御装置２の記憶部に設定できるようになっている。
【００５７】
ゾーンスイッチ６は、１階フロアーの執務室及び２部屋の会議室を含めて、１階フロアーの全ての蛍光ランプ５ａ・・・、５ｂ、・・・を一括してＯＮ／ＯＦＦできるようにしたスイッチ６ａと、モニタである赤色ランプ６ｃと緑色ランプ６ｄとで構成され、上位装置１と各中央制御装置２を介して送受信が行えるようになっている。
【００５８】
次に、上記実施形態の作用について、図２のフローチャートに従い説明する。
【００５９】
上述のように、ビルの各階に設置された照明制御システムの作用につき、１階フロアーの照明制御システムを代表して説明する。
【００６０】
まず、設定器８を１階フロアーのいずれかの壁スイッチ４ａの接続端子に接続し、設定器８を操作して１階フロアーのゾーンＡにおけるシステムの機能やアドレス設定、スイッチの割付設定、照度センサーの割付設定、チェック機能設定や制御用端末器３ａ、３ａの照明負荷の設定状態、調光度の設定機能等を中央制御装置の記憶部に適宜設定する。
【００６１】
上記のように設定された１階のフロアーに、最初に出勤した人が、ゾーンスイッチ６のスイッチ６ａをＯＮする。
【００６２】
このゾーンスイッチ６からの制御信号は子起動として中央制御装置２ａに送信される。
【００６３】
中央制御装置２ａは上位装置１にゾーン制御信号を送信すると共に、ゾーンスイッチ６に割り付けられたグループＡ、すなわち１階執務室の照明負荷である蛍光ランプ５ａ，５ａを一括して上述した設定器８により設定された照明条件に従い、ＯＮ／ＯＦＦ制御する。
【００６４】
さらに、上位装置１は他の中央制御装置２ｂにグループ制御信号を送信し、中央制御装置２ｂがグループＢ、すなわち２部屋の会議室の照明負荷である蛍光ランプ５ｂ，５ｂを一括して上述した設定器８により設定された照明条件に従い、ＯＮ／ＯＦＦ制御する。
【００６５】
上位装置１は、その後、各中央制御装置２ａ、２ｂの負荷の状態を確認する。
【００６６】
さらに、中央制御装置２ａは、制御用端末器３ａ，３ａに蛍光ランプ５ａ、５ａの制御信号や、蛍光ランプ５ａ，５ａの状態を監視する信号を送信後、壁スイッチ４ａ、４ａのＬＥＤの状態を実際の制御用端末器の状態に合わせるためのモニタ制御信号を壁スイッチ４ａ、４ａに送信する。
【００６７】
また、上位装置１は、中央制御装置２ａ、２ｂに、それぞれが管轄する執務室の照明負荷である蛍光ランプ５ａ、５ａ及び会議室の蛍光ランプ５ｂ、５ｂの状態がどうなっているかの監視信号である状態要求信号を送信する。
【００６８】
各中央制御装置２ａ、２ｂは、この上位装置１からの状態要求信号に対して執務室の蛍光ランプ５ａ、５ａ及び会議室の蛍光ランプ５ｂ、５ｂの状態、すなわち、ＯＮかＯＦＦかの状態を状態変化信号として上位装置１に送信する。
【００６９】
上位装置１は、全ての中央制御装置２ａ、２ｂのグループＡ及びグループＢの状態変化信号を収集後、フロアーの一つの蛍光ランプでもＯＮの場合は、赤色ランプを点灯するためのゾーンモニタ制御信号を中央制御装置２ａに送信する。
【００７０】
中央制御装置２ａは、このゾーンモニタ制御信号をゾーングループスイッチ制御信号としてゾーンスイッチ６に送信し、ゾーンスイッチ６のモニタである赤色ランプを点灯する。
【００７１】
また、フロアーの全ての蛍光ランプがＯＦＦされている場合には、緑色ランプを点灯するためのゾーンモニタ制御信号を中央制御装置２ａに送信する。
【００７２】
中央制御装置は、このゾーンモニタ制御信号をゾーングループスイッチ制御信号としてゾーンスイッチ６に送信し、ゾーンスイッチ６のモニタである緑色ランプを点灯する。
【００７３】
１階フロアーの照明制御システムは、上述のように構成、制御されており、１階フロアーの最終退出者が退出するときに、１階フロアーの出入口で、出入口に設置されたゾーンスイッチ６のモニタを確認する。
【００７４】
モニタの緑色ランプが点灯していれば、１階フロアーの全ての蛍光ランプが消灯されていることが確認でき、そのまま退出すればよい。
【００７５】
モニタの赤色ランプが点灯していれば、フロアーのどこかの蛍光ランプが消し忘れてＯＮしていることであり、この場合は、消し忘れた蛍光ランプを探すことなく、例えば消し忘れた会議室まで消灯しに行くことなく、その場でゾーンスイッチ６のスイッチ６ａをＯＦＦすれば、１階フロアー全ての蛍光ランプ５ａ、５ｂを一括して消灯させることができる。
【００７６】
本実施形態では、ゾーンＡとして１階フロアーの執務室をグループＡとし、会議室をグループＢとして構成して照明制御するようにしたが、さらに階段及び階段の踊り場、さらに１階にロビーがあれば、それらの照明負荷である蛍光ランプや白熱電球に対応した制御用端末器や壁スイッチを設置してゾーンＡの単位とし、これら執務室、会議室、階段、階段の踊り場さらに１階ロビーの照明をまとめて制御するようにしてもよい。
【００７７】
本実施形態によれば、上位装置が各中央制御装置のゾーン単位での状態変化信号を収集後、蛍光ランプの消し忘れを防止するためのモニタ制御信号をゾーンスイッチに送信し、ゾーンスイッチのモニタである赤色ランプ、緑色ランプの表示更新を行うようにしたので、照明負荷の消し忘れを確実の防止することが出来ると共に、消し忘れに関する制御に伴う中央制御装置の処理能力を高めることなく、システム全体のコストアップを伴わない照明制御システムを提供することができる。
【００７８】
以上、本発明の好適な実施形態を説明したが、本発明は上述の実施形態に限定されることなく、本発明の要旨を逸脱しない範囲内において、種々の設計変更を行うことができる。
【図面の簡単な説明】
【００７９】
【図１】本発明の第一の実施形態にかかる照明制御システムの概略構成図。
【図２】本発明の第一の実施形態にかかる照明制御システムの作動状況を示すフローチャート。
【符号の説明】
【００８０】
１    上位装置
２    中央制御装置
３    制御用端末器
４    個別照明スイッチ
５    照明負荷
６    ゾーンスイッチ
【図１】
2005158321.tif 000003
【図２】
2005158321.tif 000004